(57)【特許請求の範囲】
【請求項１】
回転可能な軸体に円板、該円板より小径のスペーサを交互に多重に嵌設して構成した濾体を、前記円板の一部が重合する様所要数連設し、該円板の重合部分の隙間から濾過する様にした濾体群を具備する多重円板脱水装置に於いて、前記円板、前記スペーサを貫通する濾液通路を形成して該濾液通路に漏出した濾液を前記濾体の軸端から排出する様にし、前記濾液通路に向けてジェット水流を噴射する洗浄ノズルを設け、前記ジェット水流は前記濾液通路を通過可能であると共に噴射方向が前記濾液通路の軸心に対して傾斜していることを特徴とする多重円板脱水装置。
【請求項２】
ジェット水流の噴射方向の傾斜が異なる様に、前記洗浄ノズルが複数設けられた請求項１の多重円板脱水装置。
【請求項３】
前記スペーサに半径方向に延び一端が通路孔に開口し他端がスペーサ周面に開口する溝を形成し、濾液が該溝を通って前記通路孔に漏出する様にした請求項１の多重円板脱水装置。
【発明の詳細な説明】
【技術分野】
【０００１】
本発明は、下水汚泥、し尿汚泥、その他産廃汚泥に対して濾過処理をして固形分と濾液とを分離する多重円板脱水装置に関するものである。
【背景技術】
【０００２】
下水汚泥、し尿汚泥、その他産廃汚泥に対して濾過処理をして固形分と濾液とを分離する濾過装置の１つに、多重円板脱水装置がある。
【０００３】
従来、多重円板脱水装置としては、特許文献１に示されるものがある。斯かる多重円板脱水装置について、図１３を参照して概略を説明する。
【０００４】
多重円板脱水装置は、主に、多重円板脱水機１及び該多重円板脱水機１に連設された凝集装置２を具備している。
【０００５】
前記多重円板脱水機１は、脱水槽３の内部に上部濾体群４と下部濾体群５とがケーキ搬送路６を形成する様に上下に配設されており、該ケーキ搬送路６は下流側に向って断面積が漸次減少し、下流端が前記脱水槽３の壁面に開口して吐出口１０を形成すると共に前記上部濾体群４の上流側は前記下部濾体群５に対して短くなっており、前記ケーキ搬送路６の上流端部の上面は開放された形状となっている。
【０００６】
前記上部濾体群４、前記下部濾体群５は、それぞれ所要数の濾体７が一部重合する様に連設されて構成されており、該濾体７は前記脱水槽３の両側壁に掛渡って回転可能に設けられ、図示しない駆動装置により前記上部濾体群４、前記下部濾体群５の対峙部がそれぞれ下流側に向って回転する様に駆動されている。
【０００７】
前記濾体７は、回転軸８に多数の円板９がスペーサ（図示せず）を介して固着されており、隣接する濾体７，７の円板９，９はスペーサが形成する隙間に一部嵌入して一部が重合する様になっており、隣接する濾体７，７の円板９，９間に形成される間隙が液を濾過する目となっている。又、前記濾体７には、前記円板９、スペーサを軸心方向に貫通する濾液通路１１が形成され、該濾液通路１１に漏出した濾液を該濾液通路１１により前記濾体７の軸端に導き、前記脱水槽３の側壁から排出する様になっている。
【０００８】
前記凝集装置２は凝集槽１２を有し、該凝集槽１２は凝集原液供給口１３によって前記脱水槽３に連設されている。前記凝集槽１２には原液供給ライン１４及び凝集液供給ライン１５が接続され、前記凝集槽１２には前記原液供給ライン１４から原液供給ポンプ１６により原液が供給され、又前記凝集液供給ライン１５からは凝集液供給ポンプ１７により凝集液が供給される様になっている。
【０００９】
前記凝集槽１２には攪拌機１８が設けられ、該攪拌機１８により原液と凝集液が攪拌されることで、原液中の固形分の凝集が促進される。
【００１０】
前記原液供給ライン１４から原液、前記凝集液供給ライン１５から凝集液を供給することで、凝集原液１９が前記凝集原液供給口１３からオーバフローして前記脱水槽３に供給される。前記凝集原液１９の供給量は、前記ケーキ搬送路６の上流端部開放部に自由液面２１を形成する様に調整される。
【００１１】
前記ケーキ搬送路６に供給された前記凝集原液１９は、前記ケーキ搬送路６の上流部では重力による濾過により、濾液が分離され、分離された濾液の大部分は前記円板９，９間の目より落下し、残りの一部は前記濾液通路１１に漏出し、該濾液通路１１を通って前記脱水槽３の側壁から排出される。
【００１２】
又、分離された凝集フロックは、前記下部濾体群５上に着床し、前記上部濾体群４、前記下部濾体群５の回転によって下流側に搬送される。又、凝集フロックは、搬送過程で上下の前記上部濾体群４、前記下部濾体群５により圧搾され、濾液が分離されてケーキとなる。即ち、前記ケーキ搬送路６の上流部は重力脱水部、下流部は圧搾脱水部が形成される。
【００１３】
圧搾によって、分離した濾液の大半は前記円板９，９間の目を通って落下し、前記下部濾体群５の下方に落下し、残部は前記濾液通路１１に漏出し、該濾液通路１１を通って前記脱水槽３の側壁から排出される。
【００１４】
又、脱水されたケーキは前記上部濾体群４、前記下部濾体群５の搬送作用により前記吐出口１０より吐出される。
【００１５】
上記した従来の多重円板脱水装置に於いて、濾液が前記濾液通路１１に漏出する際、凝集フロックも一緒に漏出する場合があり、多重円板脱水装置の稼働時間が長くなると、前記濾液通路１１が漏出した凝集フロックによって詰る場合が考えられる。この為、適宜前記濾液通路１１に溜った凝集フロックを除去する必要がある。
【００１６】
前記濾液通路１１を洗浄する構成を有する多重円板脱水装置として、例えば特許文献２に示されるものがある。
【００１７】
特許文献２に示される従来の多重円板脱水装置では、前記濾液通路１１に向けジェット水を噴射し、目詰りした凝集フロックを除去している。
【００１８】
然し乍ら、従来の多重円板脱水装置ではジェット水を前記濾液通路１１の軸心と平行に噴射し、前記濾液通路１１を貫通させることを目的としており、該濾液通路１１の壁面に付着したフロックを除去するには充分とはいえなかった。
【００１９】
又、上記した従来の多重円板脱水装置に於いて、前記ケーキ搬送路６上流部での濾液分離作用は、重力による液分離となっている。又、濾液が通過する目は隣接する前記濾体７，７同士が重合した部分に形成される隙間だけであり、前記下部濾体群５に形成される濾過面積としては小さく、効果的な濾過作用が得られにくい。前記重力脱水部で充分な脱水が進行しない場合は、前記圧搾脱水部に進入したケーキの含水率が大きく、効果的な圧搾作用が得られない。更に、前記重力脱水部での脱水作用が少ない場合は、前記自由液面２１の低下が遅く原液等の供給量が制限され、処理量の増加が見込めない。
【００２０】
或は、前記ケーキ搬送路６の上流部、前記吐出口１０共に大気に開放されているので、ケーキの含水率については制御することができず、処理する原液の状態によってケーキの含水率が変動する等の問題があった。
【００２１】
【特許文献１】特開２００４−３３００６０号公報
【００２２】
【特許文献２】特開２００５−７３２７号公報
【発明の開示】
【発明が解決しようとする課題】
【００２３】
本発明は斯かる実情に鑑み、濾液通路の目詰りを解消すると共に濾液通路壁面に付着した凝集フロックの除去も併せて行える様にし、濾液通路から排出される濾液量を増大させ、濾過効果を増大させようとするものである。
【課題を解決するための手段】
【００２４】
本発明は、回転可能な軸体に円板、該円板より小径のスペーサを交互に多重に嵌設して構成した濾体を、前記円板の一部が重合する様所要数連設し、該円板の重合部分の隙間から濾過する様にした濾体群を具備する多重円板脱水装置に於いて、前記円板、前記スペーサを貫通する濾液通路を形成して該濾液通路に漏出した濾液を前記濾体の軸端から排出する様にし、前記濾液通路に向けてジェット水流を噴射する洗浄ノズルを設け、前記ジェット水流は前記濾液通路を通過可能であると共に噴射方向が前記濾液通路の軸心に対して傾斜している多重円板脱水装置に係るものであり、又ジェット水流の噴射方向の傾斜が異なる様に、前記洗浄ノズルが複数設けられた多重円板脱水装置に係るものである。
【００２５】
又本発明は、前記スペーサに半径方向に延び一端が通路孔に開口し他端がスペーサ周面に開口する溝を形成し、濾液が該溝を通って前記通路孔に漏出する様にした多重円板脱水装置に係るものである。
【発明の効果】
【００２６】
本発明によれば、回転可能な軸体に円板、該円板より小径のスペーサを交互に多重に嵌設して構成した濾体を、前記円板の一部が重合する様所要数連設し、該円板の重合部分の隙間から濾過する様にした濾体群を具備する多重円板脱水装置に於いて、前記円板、前記スペーサを貫通する濾液通路を形成して該濾液通路に漏出した濾液を前記濾体の軸端から排出する様にし、前記濾液通路に向けてジェット水流を噴射する洗浄ノズルを設け、前記ジェット水流は前記濾液通路を通過可能であると共に噴射方向が前記濾液通路の軸心に対して傾斜しているので、前記ジェット水流が前記濾液通路の壁面に衝突し、又前記ジェット水流の衝突位置は前記濾体の回転と共に移動し、壁面の全長に亘り洗浄が可能であり、又前記ジェット水流は前記濾液通路を通過するので目詰りの解消も行える。
【００２７】
又、本発明によれば、前記スペーサに半径方向に延び、一端が通路孔に開口し他端がスペーサ周面に開口する溝を形成し、濾液が該溝を通って前記通路孔に漏出する様にしたので、スペーサの周面も濾過作用に寄与し、濾過効率が増大する等の優れた効果を発揮する。
【発明を実施するための最良の形態】
【００２８】
以下、図面を参照しつつ本発明を実施する為の最良の形態を説明する。
【００２９】
図１、図２は本発明が実施される多重円板脱水装置の一例、特にケーキ搬送路６が閉鎖構造となっている多重円板脱水装置を示すものである。
【００３０】
先ず、多重円板脱水装置について説明する。
【００３１】
尚、図１〜図４中、図１３中で示したものと同等のものには同符号を付してある。
【００３２】
脱水槽３内に上部濾体群４、下部濾体群５が上下に対向して設けられ、前記上部濾体群４と前記下部濾体群５間にはケーキ搬送路６が形成される。
【００３３】
前記上部濾体群４、前記下部濾体群５は、それぞれ所要数の濾体７が一部重合する状態で連設されて構成されている。尚、該濾体７の構造については、従来の多重円板脱水装置で説明したと同様であるので、説明を省略する。
【００３４】
前記ケーキ搬送路６の上流端に上流端濾体群２３が設けられる。該上流端濾体群２３は、前記上部濾体群４、前記下部濾体群５と同様、前記濾体７によって構成され、前記上流端濾体群２３の上下両端に位置する前記濾体７は、前記上部濾体群４、前記下部濾体群５の上流端に位置する前記濾体７と一部が重合する様に連設される。
【００３５】
従って、前記ケーキ搬送路６は前記脱水槽３の両側壁、前記上部濾体群４、前記下部濾体群５、前記上流端濾体群２３によって閉鎖された空間となる。
【００３６】
前記上部濾体群４、前記下部濾体群５、前記上流端濾体群２３を構成する前記濾体７はそれぞれ図示しない駆動源に連結され、前記ケーキ搬送路６内の凝集原液、或はフロックに下流方向の力を与える様に回転されている。
【００３７】
前記ケーキ搬送路６の下流端に開口する吐出口１０には、吐出抵抗付与手段として抵抗板２４が設けられている。該抵抗板２４は上端を前記脱水槽３に回転自在に支持され、自重で前記吐出口１０を閉鎖する様に吊下げられている。又、前記抵抗板２４には錘板２５が所要枚数着脱可能となっており、該錘板２５の枚数で、前記吐出口１０の閉鎖力が調整可能となっている。
【００３８】
密閉構造の凝集槽１２と前記脱水槽３とは凝集原液供給管２６によって接続され、該凝集原液供給管２６は前記脱水槽３の側壁の前記ケーキ搬送路６の上流端に開口する。
【００３９】
前記凝集槽１２、又は前記凝集原液供給管２６、又は前記ケーキ搬送路６の上流端等の適宜位置には圧力計２９が設けられ、前記ケーキ搬送路６の上流部の圧力が検出される様になっている。
【００４０】
前記凝集槽１２には原液供給ライン１４、凝集液供給ライン１５が接続され、それぞれ原液供給ポンプ１６、凝集液供給ポンプ１７により原液、或は凝集液を前記凝集槽１２に圧送可能となっている。該凝集槽１２は密閉構造であるが、前記ケーキ搬送路６内の圧力変動を吸収可能なアキュムレータ（図示せず）を前記凝集槽１２に連設してもよい。
【００４１】
該凝集槽１２内の原液は攪拌機１８により攪拌され、凝集液による凝集作用が促進される。
【００４２】
次に、図２〜図５に於いて、前記濾体７等について具体的に説明する。
【００４３】
前記脱水槽３の前記下部濾体群５の下方は濾液貯留部２７となっており、又前記脱水槽３の両側、又一側には濾液貯留側室２８が形成され、前記濾液貯留部２７には重力脱水部により落下した濾液、及び圧搾脱水部で分離された濾液を貯留する様になっており、又前記濾液貯留側室２８には後述する様に前記上部濾体群４、前記下部濾体群５に形成された濾液通路１１に集められた濾液が流入する様になっている。
【００４４】
図３、図４は前記濾体７を示しており、軸体３０にステンレス鋼板等の金属の円板３１と金属又は合成樹脂製のスペーサ３２が交互に嵌装され、前記円板３１、前記スペーサ３２が棒状に多重に重ねられた構造であり、該スペーサ３２の外径は前記円板３１の外径より小さく、前記スペーサ３２の厚みは前記円板３１の板厚より僅かに大きくなっている。尚、図３では分り易くする為、前記スペーサ３２の厚みを大きく示している。
【００４５】
前記濾体７の外周部には前記円板３１と前記スペーサ３２とによって溝３３が形成され、該溝３３に隣接する前記濾体７の前記円板３１が嵌入することで、前記濾体７と隣接する濾体７とが一部重合する状態となっている。又、前記円板３１の先端と前記スペーサ３２の周面との間に濾液が通過する目３８が形成される。
【００４６】
前記濾体７には、前記円板３１、前記スペーサ３２を貫通する前記濾液通路１１が円周所要等分した位置、例えば図４では円周８等分した位置に形成されている。
【００４７】
又、前記スペーサ３２の一部、例えば図５に示す様に、５枚毎のスペーサ３２について、外周部に欠切部４０が形成され、該欠切部４０によって前記濾液通路１１が開放状態となっている。
【００４８】
前記脱水槽３の前記濾液貯留側室２８に臨接する側壁３４には、前記濾液通路１１が設けられている円周と同一径の円周上に所要数の濾液流入口３５が穿設されている。該濾液流入口３５は前記濾液通路１１と同一、若しくは該濾液通路１１より大きな直径を有している。従って、前記濾液流入口３５と前記濾液通路１１とは、該濾液通路１１が穿設されているピッチ角度回転することで、該濾液通路１１と前記濾液流入口３５とが合致する。図示の例では、前記濾体７が４５゜回転する毎に前記濾液通路１１と前記濾液流入口３５が合致する様になっている。
【００４９】
前記脱水槽３の他の側壁３６の少なくとも１箇所に孔３９が設けられ、該孔３９に隣接して洗浄ノズル３７が設けられ、該洗浄ノズル３７からは前記濾液通路１１に向ってジェット水流が噴射される様になっている。
【００５０】
又、ジェット水流の噴射方向は、前記濾液通路１１の軸心に対して傾斜しており、傾斜角θは、前記濾液通路１１の全長をＬ、該濾液通路１１の直径をＤとすると、０＜θ＜α≒ｔａｎ-1（Ｄ／Ｌ）である。尚、傾斜角は厳密でなくともよく、要はジェット水流が前記濾液通路１１を貫通或は通過し、且つ前記濾液通路１１の軸心に対して傾斜していればよい。
【００５１】
以下、上述した多重円板脱水装置の作用について説明する。
【００５２】
前記原液供給ポンプ１６、前記凝集液供給ポンプ１７を駆動して前記凝集槽１２内に原液、凝集液を圧送する。該凝集槽１２内で原液、凝集液が攪拌され、原液内の固形分が凝集された凝集原液となり、前記凝集原液供給管２６を介して前記ケーキ搬送路６の上流部に送給される。
【００５３】
前記抵抗板２４により前記吐出口１０が閉鎖されているので、前記ケーキ搬送路６が所定圧力に上昇する迄、前記吐出口１０からは凝集原液、ケーキのいずれの状態でも吐出されない。
【００５４】
前記ケーキ搬送路６内で凝集原液は前記目３８で凝集フロックと濾液に分離され、濾液は前記目３８を通過して濾液貯留部２７に落下し、又前記欠切部４０を通って前記濾液通路１１に流入し、前記濾液流入口３５を通って前記濾液貯留側室２８に流出する。
【００５５】
前記ケーキ搬送路６の内部が昇圧することで、重力脱水部での濾液分離作用が促進され、濾液分離処理量が増大する。従って、圧搾脱水部に移行したケーキの含水率が低下し、該圧搾脱水部でのケーキ圧搾作用が効果的となり、ケーキからの脱水処理量が増大する。
【００５６】
前記重力脱水部で脱水されたケーキは前記ケーキ搬送路６の上流側の圧搾脱水部で圧搾される。
【００５７】
圧搾により、ケーキに含有されている液が濾過分離され、圧搾脱水部で分離された濾液の一部は、前記スペーサ３２の前記欠切部４０を通って前記濾液通路１１に漏出し、該濾液通路１１を通り前記濾液流入口３５を介して前記濾液貯留側室２８に流入する。
【００５８】
又、前記ケーキ搬送路６が加圧されることで、濾液は前記上部濾体群４の上側にも漏出し、該上部濾体群４上に溜る場合がある。この場合、該上部濾体群４を前記濾液貯留側室２８側に下り傾斜となる様に傾斜させるか、或は前記脱水槽３自体を前記濾液貯留側室２８側が下となる様に傾斜させる。前記上部濾体群４が傾斜されることで、該上部濾体群４上に溜った濾液は、前記濾液貯留側室２８に落下排出される。
【００５９】
又前記ケーキ搬送路６内が加圧されることでケーキに吐出方向の力が作用し、更に、ケーキの含水率が低下することで、前記上部濾体群４、前記下部濾体群５によりケーキの搬送力が増大する。搬送されたケーキが前記抵抗板２４を押上げ、前記吐出口１０から吐出される。尚、前記錘板２５の枚数を調整することで、前記抵抗板２４による前記吐出口１０の閉鎖力が調整でき、ケーキの吐出時の抵抗を変えられることから、ケーキの含水率の調整が可能となる。
【００６０】
前記ケーキ搬送路６の内部の圧力の制御は、前記原液供給ポンプ１６、前記凝集液供給ポンプ１７の供給量を制御することでも実施される。前記圧力計２９によって前記ケーキ搬送路６の圧力が検出され、検出結果は前記原液供給ポンプ１６、前記凝集液供給ポンプ１７の駆動にフィードバックされ、前記ケーキ搬送路６の圧力が所定圧となる様に、原液、凝集液の供給量が制御される。制御される圧力の所定値は、例えば０．０５ＭＰＡ程度が選択される。
【００６１】
而して、検出圧力が所定値となる様に凝集原液の圧送を行う様にし、濾過状態を凝集原液の状態に適合させることができ、濾過効率の維持向上が図れる。
【００６２】
尚、アキュムレータを具備している場合は、圧力の変動がアキュムレータによって吸収されるので、前記原液供給ポンプ１６、前記凝集液供給ポンプ１７の供給量は定量供給とすることができる。
【００６３】
凝集原液の濾過、脱水を継続することで、凝集フロックが前記円板３１に付着し、又前記濾液通路１１の内壁にも付着する。前記円板３１に付着した凝集フロックは重合した円板３１，３１間の摺動により掻取られ除去される。
【００６４】
又、前記濾液通路１１の内壁に付着した凝集フロック、或は該濾液通路１１を詰らせた凝集フロックは、前記洗浄ノズル３７からジェット水流を前記濾液通路１１に噴出することで除去される。
【００６５】
尚、図６（Ａ）、図６（Ｂ）、図６（Ｃ）に示される様に、該濾液通路１１の洗浄は、ジェット水流の噴出方向が該濾液通路１１の軸心に対して傾斜していることから、前記濾体７が回転すると、ジェット水流は最初、前記洗浄ノズル３７側（手前）の壁面に衝突し（図６（Ａ）参照）、次に前記濾体７の回転と共に当接位置は次第に奥に移動し（図６（Ｂ）参照）、最後は前記濾液通路１１を貫通する（図６（Ｃ）参照）。従って、ジェット水流により該濾液通路１１の貫通と該濾液通路１１の壁面の洗浄とを同時に行うことができる。
【００６６】
又、前記洗浄ノズル３７を複数設け、各洗浄ノズル３７からのジェット水流の噴射方向を変えることで、各洗浄ノズル３７毎に前記濾液通路１１の壁面の異なる部分の洗浄が可能となり、該濾液通路１１の壁面全体を洗浄することができる。更に、前記洗浄ノズル３７からのジェット水流の方向が前記濾液通路１１の軸心と平行のものを組合わせてもよい。
【００６７】
上記した様に、濾液の大部分は前記目３８（図３参照）を濾過、分離される。又、例えば前記下部濾体群５の前記ケーキ搬送路６に面する大部分は、前記スペーサ３２が占めている。上記した実施の形態でも、該スペーサ３２に前記濾液通路１１と連通する前記欠切部４０を形成し、該欠切部４０を通して濾液を前記濾液通路１１に漏出させているが、前記欠切部４０は極一部に形成されるのみであり、濾過には充分でなく、更に該欠切部４０を形成することで形成される目は前記スペーサ３２に貫通する前記濾液通路１１の直径に相当する程度に長いスリット孔となり、前記スペーサ３２での濾過量を増大させる為、前記欠切部４０を多く形成すると凝集フロックの漏出が多くなり、濾過効果が低減するという不具合が生ずる。
【００６８】
次に、図７〜図１０に於いて第２の実施の形態について説明する。
【００６９】
ここで、図７〜図１０は濾体７を構成する円板３１、スペーサ３２を一体化したスペーサ付の円板４７を示している。該円板４７は例えば、合成樹脂により一体成形されたものであり、中央に軸体３０（図３参照）が貫通する嵌合孔４８が形成され、該嵌合孔４８の周囲は厚肉のボス部４９となっている。該ボス部４９の周囲には濾液通路１１を形成する為の通路孔５１が穿設されている。該通路孔５１の周囲には、円周所要ピッチで楔状の突起５２が全周に亘って形成されている。該突起５２が形成されている箇所の厚みは前記ボス部４９の厚みと同一となっている。
【００７０】
又、図９で見られる様に、前記突起５２，５２の間には濾過溝５３が形成され、該濾過溝５３は外周側が狭く、中心側が広いテーパ形状をしている。
【００７１】
前記円板４７を前記軸体３０に組込み、前記円板４７，４７を重合させると、前記突起５２が隣接する円板４７に当接して、前記濾過溝５３が径方向に延びる濾過孔として機能する。又、前記突起５２は、図４、図５で示した前記スペーサ３２として機能する。形成された濾過孔は外端がスペーサ３２の周面に開口すると共に内端も前記通路孔５１に連通する様に開口している。又、前記濾過溝５３は中心側の断面積が広くなっているので、凝集フロックが流入した場合も抜けがよく、前記濾過孔５１が目詰りすることが防止される。又、外周に開口する開口の大きさは、該通路孔５１の間隔を適宜設定して目３８（図３参照）と同等の大きさとすることができる。
【００７２】
前記円板４７の外周には所要間隔で突部５０が突設されている。該突部５０は、前記円板４７の前記目３８に臨接する部分に付着した凝集フロックを掻取るものである。
【００７３】
又、前記濾過孔を形成する別の方法として、従来の様に前記円板３１と別途製作したスペーサとの組合わせとしてもよい。
【００７４】
図１１、図１２は、濾過孔を形成するスペーサ５４を示している。該スペーサ５４は、リング状の薄板を断面が矩形波状となる様にプレス加工して径方向に延びる濾過孔５５を形成したものである。
【００７５】
前記スペーサ５４を前記円板３１に嵌込み、カシメ等所要の手段で固着し、前記スペーサ５４が一体化された円板４７を前記軸体３０に所定数嵌合して、濾体７が構成される。
【００７６】
上記第２の実施の形態では、前記濾体７の全周に亘り開口する濾過孔が形成され、該濾過孔を通して濾液が濾液通路１１に導かれる。前記濾体７の全周に亘って前記濾過孔が形成されることで、下部濾体群５の全体に均一な濾過の為の目が形成されるので、濾過効率が大幅に向上する。
【００７７】
上記第２の実施の形態では、前記円板４７に合成樹脂が使用される場合があるが、合成樹脂の円板を使用した場合、上部濾体群４、前記下部濾体群５の重力脱水部には合成樹脂の円板４７を使用し、圧搾脱水部には金属板を使用する等、負荷によって使分けをしてもよい。又、合成樹脂の円板に対して所要枚数毎に金属板の円板を介設して補強する等してもよい。或は、前記円板４７の外周部をステンレス鋼等の金属材料とし、中心部を合成樹脂製とし、外周部と中心部とを圧入、或は成形時に鋳込む等して一体成形する等して補強してもよい。
【００７８】
尚、上記実施の形態は、ケーキ搬送路６が閉鎖した多重円板脱水装置について説明したが、図１３に示したケーキ搬送路６が開放している多重円板脱水装置に実施することが可能であることは言う迄もない。
【図面の簡単な説明】
【００７９】
【図１】本発明の第１の実施の形態を示す概略説明図である。
【図２】図１のＡ−Ａ矢視図である。
【図３】本発明の第１の実施の形態に於ける下部濾体群の部分平面図である。
【図４】図３のＢ−Ｂ矢視図である。
【図５】図３のＢ−Ｂ矢視図相当図であり、スペーサに欠切部が欠切された場合を示す。
【図６】（Ａ）、（Ｂ）、（Ｃ）は本発明の第１の実施の形態の作用を示す説明図である。
【図７】本発明の第２の実施の形態に使用される円板の正面図である。
【図８】本発明の第２の実施の形態に使用される円板の側面図である。
【図９】図７のＣ部拡大図である。
【図１０】図８のＤ部拡大図である。
【図１１】本発明の第２の実施の形態に使用される円板の他の例を示し、円板を構成するスペーサ部分正面図である。
【図１２】本発明の円板を構成するスペーサ部分平面図である。
【図１３】従来の多重円板脱水装置を示す概略斜視図である。
【符号の説明】
【００８０】
３              脱水槽
４              上部濾体群
５              下部濾体群
６              ケーキ搬送路
７              濾体
８              回転軸
１０            吐出口
１１            濾液通路
１３            凝集原液供給口
１４            原液供給ライン
１５            凝集液供給ライン
１６            原液供給ポンプ
１７            凝集液供給ポンプ
２３            上流端濾体群
２４            抵抗板
３０            軸体
３１            円板
３２            スペーサ
３３            溝
３７            洗浄ノズル
３８            目
【図１】
0004513670.tif 000002
【図２】
0004513670.tif 000003
【図３】
0004513670.tif 000004
【図４】
0004513670.tif 000005
【図５】
0004513670.tif 000006
【図６】
0004513670.tif 000007
【図７】
0004513670.tif 000008
【図８】
0004513670.tif 000009
【図９】
0004513670.tif 000010
【図１０】
0004513670.tif 000011
【図１１】
0004513670.tif 000012
【図１２】
0004513670.tif 000013
【図１３】
0004513670.tif 000014